(57)【要約】【課題】部品点数を削減することが可能なコネクタを提供する。【解決手段】コネクタ１００は、後端部に電線９０が接続される複数の端子金具５０と、電線９０を後方へ導出させた状態で複数の端子金具５０を収容する誘電体２０と、を備えている。誘電体２０は、上下二段に分かれ左右に並列して配置された複数の端子収容室３４を有し、上面と下面には、夫々、端子収容室３４に対する端子金具５０の取付けを可能にする開口部３５が形成された保持部材３０と、上面側の開口部３５と下面側の開口部３５とを個別に閉塞する上下一対の閉塞部４１，４１が一体に形成され、保持部材３０に対して前方から組み付けられるフロント部材４０と、を有する。【選択図】図８
2019016575.tif 000002
【特許請求の範囲】
【請求項１】
後端部に電線が接続される複数の端子金具と、
前記電線を後方へ導出させた状態で前記複数の端子金具を収容する誘電体と、
を備え、
前記誘電体は、
上下二段に分かれ左右に並列して配置された複数の端子収容室を有し、上面と下面には、夫々、前記端子収容室に対する前記端子金具の取付けを可能にする開口部が形成された保持部材と、
上面側の前記開口部と下面側の前記開口部とを個別に閉塞する上下一対の閉塞部が一体に形成され、前記保持部材に対して前方から組み付けられるフロント部材と、
を有することを特徴とするコネクタ。
【請求項２】
前記保持部材は、前記複数の端子収容室を区画する側壁部を有し、
前記側壁部には、前記端子収容室内の前記端子金具に対し前記開口部からの離脱を規制するように係止する規制突出部が形成されていることを特徴とする請求項１記載のコネクタ。
【請求項３】
前記規制突出部は、前記端子金具の前端部に係止するように配されていることを特徴とする請求項２記載のコネクタ。
【請求項４】
前記フロント部材は、前記上下一対の閉塞部の左右両端部に連なり、前記保持部材の左右両側面を覆う左右一対の側板部を有し、
前記フロント部材の後端から前方へ切り欠いた形態のスリットを形成することで、前記側板部の一部が、左右方向への弾性変形が可能であって前記保持部材に係止可能な弾性係止片となっていることを特徴とする請求項１ないし請求項３のいずれか１項に記載のコネクタ。
【請求項５】
前記保持部材には、前記スリットに入り込んで穴埋めするリブが形成されていることを特徴とする請求項４記載のコネクタ。
【請求項６】
前記誘電体の前面には、相手側端子のタブが前記端子収容室内に挿入することを許容する複数の挿入孔が形成され、
前記挿入孔は、前記開口部と連通するように前記保持部材の前壁部を切欠した形態の切欠部と、前記閉塞部の前端部に形成した凹部とで構成されていることを特徴とする請求項１ないし請求項５のいずれか１項に記載のコネクタ。
【発明の詳細な説明】
【技術分野】
【０００１】
本発明は、コネクタに関するものである。
【背景技術】
【０００２】
特許文献１に開示されているコネクタは、電線の端末部に圧着される端子金具と、端子金具を収容するキャビティを有するハウジング部と、を備えている。キャビティ内には後方から端子金具が挿入され、正規挿入された端子金具はキャビティの内面に一体に形成されたランスによって弾性的に抜け止めされる。
【先行技術文献】
【特許文献】
【０００３】
【特許文献１】特開２０１３−２２９２２４号公報
【発明の概要】
【発明が解決しようとする課題】
【０００４】
特許文献１のコネクタでは、端子金具のキャビティ内への挿入時に、ランスが端子金具と干渉して上下方向に撓み変形する。そのため、ハウジング部内におけるランスの下方に、撓んだランスが進入する撓み空間が形成されている。撓み空間がキャビティに対して下方側に配置されるため、ハウジング部のサイズが上下方向において大型化してしまう。
【０００５】
そこで、ランスによる抜け止め構成を省略するために、キャビティに上方に開放した開口部を設け、キャビティ内に上方から端子金具が挿入される構成が考えられる。キャビティ内に上方から端子金具が挿入される構成では、開口部を上方から閉塞して端子金具の離脱防止を図る必要がある。しかしながら、特許文献１のコネクタのように、上下二段に配置されたキャビティにそれぞれ端子金具を収容する場合、上段のキャビティの開口部を上方から閉塞する閉塞部材と、下段のキャビティの開口部を下方から閉塞する閉塞部材と、が個別の部品として必要になる。そのため、コネクタを構成する部品点数が多くなるという問題が生じる。
【０００６】
本発明は上記のような事情に基づいて完成されたものであって、部品点数を削減することが可能なコネクタを提供することを目的とする。
【課題を解決するための手段】
【０００７】
本発明の端子金具は、
後端部に電線が接続される複数の端子金具と、
前記電線を後方へ導出させた状態で前記複数の端子金具を収容する誘電体と、
を備え、
前記誘電体は、
上下二段に分かれ左右に並列して配置された複数の端子収容室を有し、上面と下面には、夫々、前記端子収容室に対する前記端子金具の取付けを可能にする開口部が形成された保持部材と、
上面側の前記開口部と下面側の前記開口部とを個別に閉塞する上下一対の閉塞部が一体に形成され、前記保持部材に対して前方から組み付けられるフロント部材と、
を有することを特徴とする。
【発明の効果】
【０００８】
保持部材に対して前方から組み付けられるフロント部材において、上面側の開口部と下面側の開口部とを個別に閉塞する上下一対の閉塞部が一体に形成される構成である。これにより、上面側の開口部と下面側の開口部を上面側及び下面側から閉塞するために、それぞれ個別に閉塞する部材を用いる必要がなく、フロント部材のみを用いればよく、部品点数を削減することができる。
【図面の簡単な説明】
【０００９】
【図１】実施例１のコネクタにおいてハウジングとシールド端子を分離した状態を斜め上から見た斜視図
【図２】ケーブルが組み付けられたコネクタの側断面図
【図３】端子ユニット及びケーブルの一部の斜視図
【図４】端子ユニット及び電線の一部の斜視図
【図５】端子ユニットの正面図
【図６】図５のＡ−Ａ線断面図
【図７】図５のＢ−Ｂ線断面図
【図８】相手側端子のタブが挿入された状態における図５のＣ−Ｃ線断面図
【図９】保持部材の斜視図
【図１０】フロント部材の斜視図
【図１１】端子金具を保持部材に取り付ける前の状態を斜め上から見た斜視図
【図１２】端子金具を保持部材に取り付けた状態を斜め上から見た斜視図
【図１３】図１２の一部拡大図
【図１４】第１シェルの斜視図
【図１５】第２シェルの斜視図
【図１６】実施例２の端子ユニット及びケーブルの一部の斜視図
【図１７】端子ユニット及びケーブルの側断面図
【図１８】保持部材の斜視図
【図１９】フロント部材の斜視図
【図２０】端子金具を保持部材に取り付けた状態を斜め上から見た斜視図
【発明を実施するための形態】
【００１０】
本発明は、前記保持部材が、前記複数の端子収容室を区画する側壁部を有してもよい。前記側壁部には、前記端子収容室内の前記端子金具に対し前記開口部からの離脱を規制するように係止する規制突出部が形成されていてもよい。
この構成によれば、端子収容室に取り付けられた端子金具に対して規制突出部が開口部からの離脱を規制するように係止することで、フロント部材を保持部材に組み付ける前に端子金具が端子収容室から離脱することを防ぐことができる。
【００１１】
本発明は、前記規制突出部が、前記端子金具の前端部に係止するように配されていてもよい。
この構成によれば、規制突出部が端子金具の前端部に係止するため、フロント部材を保持部材に組み付ける前に少なくとも端子金具の前端部が端子収容室から抜け出ることを規制することができる。そのため、フロント部材を前方から保持部材に組み付ける際に、端子収容室から抜け出た端子金具の前端部がフロント部材と干渉して組み付けが妨害されることを防ぐことができる。
【００１２】
本発明は、前記フロント部材が、前記上下一対の閉塞部の左右両端部に連なり、前記保持部材の左右両側面を覆う左右一対の側板部を有していてもよい。前記フロント部材の後端から前方へ切り欠いた形態のスリットを形成することで、前記側板部の一部が、左右方向への弾性変形が可能であって前記保持部材に係止可能な弾性係止片となっていてもよい。
この構成によれば、フロント部材の側板部の一部が、左右方向への弾性変形が可能な弾性係止片となるため、弾性係止片が左右方向へ撓むことで、フロント部材を前方から保持部材に組み付ける際の組み付け抵抗を小さくすることができる。
【００１３】
本発明は、前記保持部材に、前記スリットに入り込んで穴埋めするリブが形成されていてもよい。
この構成によれば、フロント部材を保持部材に組み付けた構成において、フロント部材に形成されたスリットに異物が侵入することを防ぐことができる。これにより、スリットの一部を構成する弾性係止片が、スリットに進入した異物との干渉等で不正に変形することを防ぐことができる。
【００１４】
本発明は、前記誘電体の前面に、相手側端子のタブが前記端子収容室内に挿入することを許容する複数の挿入孔が形成されていてもよい。前記挿入孔は、前記開口部と連通するように前記保持部材の前壁部を切欠した形態の切欠部と、前記閉塞部の前端部に形成した凹部とで構成されていてもよい。
誘電体の前面に形成される挿入孔を保持部材の前壁部のみで構成する場合、挿入孔の孔縁部の一部が挿入孔と開口部とを区画するための細長い梁部で構成されることになり、梁部の破損が懸念される。この対策として、挿入孔を構成する部分のうちで開口部に最も近い部分（凹部）を閉塞部で構成した。これにより、保持部材に細長い梁部を残す必要がなく、破損の懸念も解消される。
【００１５】
＜実施例１＞
以下、本発明を具体化した実施例１を図１〜図１５を参照して説明する。尚、以下の説明において、前後の方向については、図１〜４，６〜１５における左方を前方と定義する。上下の方向については、図１〜５，８〜１５にあらわれる向きを、そのまま上方、下方と定義する。左右の方向については、図５にあらわれる向きを、そのまま左方、右方と定義する。
【００１６】
本実施例１のコネクタ１００は、自動車の高速通信回路用のワイヤーハーネスを構成する接続部材である。コネクタ１００は、図１，２に示すように、シールド端子１１０と、シールド端子１１０を収容するハウジング１２０と、を備えている。シールド端子１１０は、端子ユニット１０を外導体１３０で包囲することで構成されている。端子ユニット１０は、複数の端子金具５０を誘電体２０に収容して構成されている。
【００１７】
ハウジング１２０の内部には、図２に示すように、収容室１２１が形成されている。収容室１２１には、ハウジング１２０の後方からシールド端子１１０が挿入されるようになっている。収容室１２１の内部上面には、前方へ片持ち状に延出した形態であって上方へ弾性撓み可能なランス１２２が形成されている。
【００１８】
シールド端子１１０は、図１に示すように、端子ユニット１０と、外導体１３０と、を備えている。端子ユニット１０は、図１に示すように、誘電体２０と、端子金具５０と、を有している。誘電体２０には、図２，３に示すように、ケーブル１６０の端末部分に圧着された端子金具５０が収容されている。
【００１９】
ケーブル１６０は、複数の電線９０が一括して編組線１６１及びシース１６２で包囲された多芯ケーブルとして構成されている。電線９０は、編組線１６１及びシース１６２の端部から外側に分岐して導出されている。金属製のスリーブ１６３がシース１６２の端部に外嵌され、編組線１６のうちシース１６２の端部よりも外側に露出した端部が、後方へ反転するように折り返されてスリーブ１６３の外周上に重ねられている。電線９０の軸線方向は、前後方向と平行であり、上下方向及び左右方向と直交する。
【００２０】
誘電体２０は、図７，８に示すように、電線９０を後方へ導出させた状態で複数の端子金具５０を収容する。誘電体２０の前面には、相手側端子のタブ９５が後述する端子収容室３４内に挿入することを許容する複数の挿入孔２１が形成されている。誘電体２０は、図４〜８に示すように、端子金具５０が組み付けられる保持部材３０と、保持部材３０に対して前方から組み付けられるフロント部材４０と、を備えている。
【００２１】
保持部材３０は、図９に示すように、略四角板状の基板部３１と、基板部３１の前端部に対して略直交するように上方及び下方に連なる前壁部３２と、基板部３１に対して略直交するように上方及び下方に連なる４つの側壁部３３と、を備えている。保持部材３０は、上下二段に分かれ左右に並列して配置された複数の端子収容室３４を有している。端子収容室３４は、前壁部３２と４つの側壁部３３とによって、前後方向に延びる長溝状に区画されている。保持部材３０の上面と下面には、夫々、端子収容室３４に対する端子金具５０の取付けを可能にする開口部３５が形成されている。端子収容室３４の前壁部３２には、開口部３５と連通するように切り欠いた切欠部３６が形成されている。切欠部３６は、後方に向かうにつれて切り欠き幅（切り欠き領域）が小さくなるようにテーパ状に形成されている。
【００２２】
側壁部３３のうち端子収容室３４に臨む面には、端子金具５０の前端部（切欠部６６の左右両側の縁部）に係止する規制突出部３７が形成されている。規制突出部３７は、端子収容室３４内の端子金具５０に係止することで、端子金具５０が開口部３５から離脱することを規制する。上段側の側壁部３３には、その後端側領域から上方へ延出したリブ３３Ａが形成され、下段側の側壁部３３には、その後端側領域から下方へ延出したリブ３３Ａが形成されている。基板部３１には、それぞれの端子収容室３４の内側へ突出した形態で、端子金具５０に当接して端子金具５０の後方への移動を規制する移動規制部３８が形成されている。保持部材３０の左右両外側面（側壁部３３の外面）には、それぞれ後述するフロント部材４０に係止する突起状の係止突起３９が形成されている。
【００２３】
フロント部材４０は、図１０に示すように、上下一対の閉塞部４１，４１と、左右一対の側板部４２，４２と、前壁部４３と、を備えた単一部品である。上下一対の閉塞部４１，４１は、左右一対の側板部４２，４２を介して一体化され、保持部材３０における上面側の開口部３５と下面側の開口部３５とを個別に閉塞する。左右一対の側板部４２，４２は、上下一対の閉塞部４１，４１の左右両端部に連なり保持部材３０の左右両側面を覆う。前壁部４３は、一対の閉塞部４１，４１の前端部及び一対の側板部４２，４２の前端部に対して略直交するように連なる。フロント部材４０には、閉塞部４１と側板部４２の境界部分（フロント部材４０の４つの角部）に、後端部から前方へ切り欠いた形態のスリット４４が形成されている。スリット４４は、保持部材３０のリブ３３Ａが入り込んで穴埋めされる。閉塞部４１には、上方へ突出して後述する第１シェル１４０に係止する係止部４１Ａが形成されている。
【００２４】
側板部４２，４２のうち前後方向においてスリット４４が形成されている領域（前後方向の中央より前方寄りの位置から後方側の部分）は、左右方向への弾性変形が可能であって保持部材３０の係止突起３９に係止可能な弾性係止片４２Ａとなっている。側板部４２には、板厚方向に貫通して保持部材３０の係止突起３９が係止する係止孔４５が形成されている。側板部４２には、外側へ突出して後述する第２シェル１５０に係止する係止部４２Ｂ，４２Ｃが形成されている。
【００２５】
前壁部４３には、壁面の中心部分において前後方向に貫通して保持部材３０の前壁部３２が入り込む貫通孔４６が形成されている。貫通孔４６には、上側縁部（上側の閉塞部４１の前端部）において上方に切り欠いた３つの凹部４７と、下側縁部（下側の閉塞部４１の前端部）において下方に切り欠いた３つの凹部４７と、が形成されている。凹部４７は、後方に向かうにつれて切り欠き幅（切り欠き領域）が小さくなるようにテーパ状に形成されている。
【００２６】
端子金具５０は、いわゆる雌型の端子金具であって、導電性の金属板を切り抜いた後に、曲げ加工等して一体に成形される。端子金具５０は、図７，８，１１〜１３に示すように、全体として前後方向に細長い形状であり、箱部６０と、圧着部７０と、連結部８０と、を備えている。箱部６０は、全体として前後方向に細長い形状であり、後述する一対の弾性接触片８６，８７を収容する角筒状に形成されている。圧着部７０は、電線９０の外周に圧着される。連結部８０は、一対の弾性接触片８６，８７が形成されて箱部６０の後端部と圧着部７０の前端部とを連結する角筒状に形成されている。箱部６０と連結部８０とによって端子本体部５１が構成されている。相手側端子のタブ９５が箱部６０内に前方から挿入されると（図８参照）、一対の弾性接触片８６，８７が相手側端子のタブ９５に対し弾性的に挟み付けた状態で接触するため、相手側端子と端子本体部５１とが導通可能に接続される。
【００２７】
箱部６０の上側の板部には、板厚方向に貫通する切欠部６５が形成されている。弾性接触片８６は、変形時に切欠部６５に進入することで、弾性接触片８６の前端部（延出端部）と箱部６０の干渉が回避される。箱部６０の下側の板部には、板厚方向に貫通する切欠部６６が形成されている。弾性接触片８７は、変形時に切欠部６６に進入することで、弾性接触片８７の前端部（延出端部）と箱部６０の干渉が回避される。
【００２８】
圧着部７０は、図７，８に示すように、電線９０の先端部が圧着により導通可能に接続されている。圧着部７０は、電線９０の先端部における芯線９１に圧着されるワイヤバレル７１と、ワイヤバレル７１の後方に位置して電線９０の被覆９２に圧着されるインシュレーションバレル７２と、を備えている。
【００２９】
連結部８０は、図７，８に示すように、本体部８１と、弾性接触片８６，８７と、を備えている。本体部８１は、角筒状に形成されている。弾性接触片８６は、本体部８１の上側の板部の前端部に連なるように前方に延出する長板状に形成されている。弾性接触片８７は、本体部８１の下側の板部の前端部に連なるように前方に延出する長板状に形成されている。
【００３０】
外導体１３０は、図１に示すように、半割状の第１シェル１４０と半割状の第２シェル１５０を、端子ユニット１０を挟むように合体させて構成されている。外導体１３０の後端部に形成した上側バレル部１４３及び下側バレル部１５３は、ケーブル１６０の編組線１６１に導通可能に固着される。電線９０に固着されたシールド端子１１０は、ハウジング１２０に対し後方から挿入されることによって組み付けられている。
【００３１】
第１シェル１４０は、長板状の上板部１４１と、上板部１４１の左右両側縁部と略直角に連なる左右一対の側板部１４２と、オープンバレル状の上側バレル部１４３と、を備えている。上板部１４１の略中央部には、上板部１４１の一部を上方へ突起状に切り起こしてハウジング１２０に係止する第１係止部１４４が形成されている。上板部１４１における第１係止部１４４の前方に、板厚方向に貫通してフロント部材４０に係止する上側係止孔１４５が形成されている。側板部１４２の略中央部には、側板部１４２の一部を外側へ突起状に切り起こしてハウジング１２０に係止する第２係止部１４６が形成されている。側板部１４２における第２係止部１４６の前方には、内側へ突起状に切り起こしてフロント部材４０に係止する第３係止部１４７が形成されている。側板部１４２における第２係止部１４６の後方には、内側へ突起状に切り起こして第２シェル１５０に係止する第４係止部１４８が形成されている。
【００３２】
第２シェル１５０は、長板状の下板部１５１と、下板部１５１の左右両側縁部と略直角に連なる左右一対の側板部１５２と、オープンバレル状の下側バレル部１５３と、を備えている。側板部１５２の前端部には、後方に向かって切り欠いた第１切欠部１５４が形成されている。側板部１５２における第１切欠部１５４の後方には、下方に向かって切り欠いた第２切欠部１５５が形成されている。側板部１５２における第２切欠部１５５の後方には、板厚方向に貫通した第２貫通孔１５６が形成されている。
【００３３】
上記のように構成された端子金具５０は、図１１〜１３に示すように、保持部材３０に対して上方又は下方から組み付けられる。保持部材３０の上段の３つの端子収容室３４には、それぞれ開口部３５を介して３つの端子金具５０が上方から入り込む。保持部材３０の下段の３つの端子収容室３４には、それぞれ開口部３５を介して３つの端子金具５０が下方から入り込む。下段の端子収容室３４に入り込む端子金具５０は、上段の端子収容室３４に入り込む端子金具５０の上下方向の向きに対して上下反転させた状態となっている。上段の端子収容室３４内の端子金具５０の前端部（切欠部６６の左右両側の縁部）に一対の規制突出部３７，３７が上方から係止する。下段の端子収容室３４内の端子金具５０の前端部（切欠部６６の左右両側の縁部）に一対の規制突出部３７，３７が下方から係止する。端子収容室３４内の端子金具５０は、一対の規制突出部３７，３７によって開口部３５からの離脱が規制される。端子本体部５１の後端部が移動規制部３８に前方から係止する。端子収容室３４内の端子金具５０は、端子本体部５１が移動規制部３８によって後方への移動が規制される。
【００３４】
端子金具５０が組み付けられた保持部材３０に対して、図３〜８に示すように、フロント部材４０が前方から組み付けられ、端子ユニット１０が構成される。組み付けの過程では、フロント部材４０の左右の弾性係止片４２Ａ，４２Ａが係止突起３９と干渉してそれぞれ左方向及び右方向へ弾性変形し、フロント部材４０の内部に保持部材３０が入り込む。組み付けが完了すると、図４に示すように、フロント部材４０のスリット４４に、リブ３３Ａが入り込んで穴埋めする。保持部材３０の係止突起３９がフロント部材４０の係止孔４５に入り込んで、弾性係止片４２Ａの弾性変形が元に戻る。上側の閉塞部４１が保持部材３０の上面側の３つの開口部３５を上方から閉塞する。下側の閉塞部４１が保持部材３０の下面側の３つの開口部３５を下方から閉塞する。６つの端子金具５０が誘電体２０に収容され、端子ユニット１０が完成する。
【００３５】
フロント部材４０は、上面側の開口部３５と下面側の開口部３５とを個別に閉塞する上下一対の閉塞部４１，４１が一体に形成される構成であるため、上面側の開口部３５と下面側の開口部３５とをそれぞれ閉塞する別個の部品を用いる必要がない。そのため、コネクタ１００を構成する部品点数を削減することができる。上面側の開口部３５と下面側の開口部３５とをそれぞれ閉塞する別個の部品を用いる場合、それぞれの部品で上下方向の寸法公差が生じる。そのため、全体としての上下方向の寸法公差が大きくなり、上下方向において部品間に隙間ができてガタが生じる虞がある。本実施例のコネクタ１００は、１つの部品（フロント部材４０）のみで上面側の開口部３５と下面側の開口部３５とを閉塞する構成である。そのため、上下方向の寸法公差の積み重ねが小さく、上下方向において部品間に隙間ができ難くガタが生じ難くなる。
【００３６】
図４，５に示すように、保持部材３０の切欠部３６と、フロント部材４０の凹部４７と、によって挿入孔２１が構成される。挿入孔２１は、後方に向かうにつれて開口領域が小さくなるようにテーパ状になっている。相手側端子のタブ９５が挿入孔２１に入り込む際に、タブ９５は、挿入孔２１に接触することで挿入孔２１の開口領域の中心に向かって誘導されることになる。
【００３７】
端子ユニット１０に外導体１３０を組み付けることでシールド端子１１０が構成される。第２シェル１５０を端子ユニット１０に組み付ける。第１シェル１４０の第１切欠部１５４及び第２切欠部１５５に、フロント部材４０の係止部４２Ｂ，４２Ｃがそれぞれ入り込んで係止する。第２シェル１５０を端子ユニット１０に組み付けた後、第１シェル１４０を第２シェル１５０及び端子ユニット１０に組み付ける。フロント部材４０の係止部４１Ａが、第１シェル１４０の上側係止孔１４５に入り込んで係止する。第１シェル１４０の第３係止部１４７が、フロント部材４０の係止部４２Ｃに下方から接触して係止する。第１シェル１４０の第４係止部１４８が、第２シェル１５０の第２貫通孔１５６に入り込んで係止する。端子ユニット１０と、第１シェル１４０と、第２シェル１５０と、が合体状態で保持され、シールド端子１１０が完成する。
【００３８】
図１，２に示すように、ハウジング１２０に対してシールド端子１１０を後方から挿入することで、ハウジング１２０内にシールド端子１１０が収容され、コネクタ１００が完成する。
【００３９】
コネクタ１００に相手側コネクタが嵌合すると、図８に示すように、挿入孔２１に挿入された相手側端子のタブ９５は、前方から端子収容室３４に内に挿入される。タブ９５に対して一対の弾性接触片８６，８７が弾性的に挟み付けた状態で接触し、相手側端子と端子本体部５１とが導通可能に接続される。弾性接触片８６，８７は、タブ９５に対して弾性的に挟み付けて変形した際に、先端部分がそれぞれ切欠部６５，６６に進入する。これにより、弾性接触片８６，８７の箱部６０との干渉が回避できる。
【００４０】
本実施例１のコネクタ１００は、保持部材３０に対して前方から組み付けられるフロント部材４０において、上面側の開口部３５と下面側の開口部３５とを個別に閉塞する上下一対の閉塞部４１，４１が一体に形成される構成である。そのため、上面側の開口部３５と下面側の開口部３５を上面側及び下面側からそれぞれ閉塞する個別の複数の部材を用いる構成に比べて、単一部材であるフロント部材４０のみを用いればよく、部品点数を削減することができる。
【００４１】
保持部材３０は、複数の端子収容室３４を区画する側壁部３３を有している。側壁部３３には、端子収容室３４内の端子金具５０に対し開口部３５からの離脱を規制するように係止する規制突出部３７が形成されている。
この構成によれば、端子収容室３４に取り付けられた端子金具５０に対して規制突出部３７が開口部３５からの離脱を規制するように係止することで、フロント部材４０を保持部材３０に組み付ける前に端子金具５０が端子収容室３４から離脱することを抑制することができる。
【００４２】
規制突出部３７は、端子金具５０の前端部（切欠部６６の左右両側の縁部）に係止するように配されている。
この構成によれば、規制突出部３７が端子金具５０の前端部（切欠部６６の左右両側の縁部）に係止するため、フロント部材４０を保持部材３０に組み付ける前に少なくとも端子金具５０の前端部が端子収容室３４から抜け出ることを規制することができる。そのため、フロント部材４０を前方から保持部材３０に組み付ける際に、端子収容室３４から抜け出た端子金具５０の前端部がフロント部材４０と干渉して組み付けが妨害されることを防ぐことができる。
【００４３】
フロント部材４０は、上下一対の閉塞部４１，４１の左右両端部に連なり、保持部材３０の左右両側面を覆う左右一対の側板部４２，４２を有している。フロント部材４０の後端から前方へ切り欠いた形態のスリット４４を形成することで、側板部４２の一部が、左右方向への弾性変形が可能であって保持部材３０に係止可能な弾性係止片４２Ａとなっている。
この構成によれば、フロント部材４０の側板部４２の一部が、左右方向への弾性変形が可能な弾性係止片４２Ａとなるため、弾性係止片４２Ａが左右方向へ撓むことで、フロント部材４０を前方から保持部材３０に組み付ける際の組み付け抵抗を小さくすることができる。
【００４４】
保持部材３０には、スリット４４に入り込んで穴埋めするリブ３３Ａが形成されている。
この構成によれば、フロント部材４０を保持部材３０に組み付けた構成において、フロント部材４０に形成されたスリット４４に異物が侵入することを防ぐことができる。これにより、スリット４４の一部を構成する弾性係止片４２Ａが、スリット４４に進入した異物との干渉等で不正に変形することを防ぐことができる。
【００４５】
誘電体２０の前面に、相手側端子のタブ９５が端子収容室３４内に挿入することを許容する複数の挿入孔２１が形成されている。挿入孔２１は、開口部３５と連通するように保持部材３０の前壁部３２を切欠した形態の切欠部３６と、閉塞部４１の前端部に形成した凹部４７とで構成されている。
誘電体２０の前面に形成される挿入孔２１を保持部材３０の前壁部３２のみで構成する場合、挿入孔２１の一部が挿入孔２１と開口部３５とを区画するための細長い梁部で構成されることになり、梁部の破損が懸念される。この対策として、挿入孔２１を構成する部分のうちで開口部３５に最も近い部分（凹部４７）を閉塞部４１で構成した。これにより、保持部材３０に細長い梁部を残す必要がなく、破損の懸念も解消される。
【００４６】
＜実施例２＞
図１６〜２０は、本発明の実施例２を示す。実施例２は、保持部材３０及びフロント部材４０の構造が実施例１と異なるが、その他は実施例１と同様である。このため、以下において、実施例１と同一又は相当する構造には同一符号を付し、重複する説明を省略する。
【００４７】
実施例２の場合、図１７に示すように、誘電体２０の前面に形成される挿入孔２１の孔縁部が、保持部材３０の前壁部３２のみで構成されている。挿入孔２１は、開口部３５と連通するように保持部材３０の前壁部３２を窓孔状に切欠した形態の切欠部３６Ａによって構成される。上段側の挿入孔２１（切欠部３６Ａ）の上側縁部は、左右方向に延びる梁部３２Ａ（図１８参照）によって構成される。下段側の挿入孔２１（切欠部３６Ａ）の下側縁部は、左右方向に延びる梁部３２Ａ（図１８参照）によって構成される。保持部材３０の開口部３５は、図１８に示すように、梁部３２Ａと側壁部３３とによって構成される。フロント部材４０には、図１９に示すように、挿入孔２１を構成する凹部４７が形成されていない。保持部材３０の規制突出部３７Ａは、端子金具５０の圧着部７０に上方から係止するように側壁部３３に形成されている。
【００４８】
実施例２の構成でも、実施例１と同様に、端子金具５０が組み付けられた保持部材３０に対して、図１６に示すように、フロント部材４０が前方から組み付けられ、端子ユニット１０が構成される。フロント部材４０は、上面側の開口部３５と下面側の開口部３５とを個別に閉塞する上下一対の閉塞部４１，４１が一体に形成される構成である。そのため、上面側の開口部３５と下面側の開口部３５を上面側及び下面側からそれぞれ閉塞する個別の複数の部材を用いる構成に比べて、単一部材であるフロント部材４０のみを用いればよく、部品点数を削減することができる。
【００４９】
＜他の実施例＞
本発明は上記記述及び図面によって説明した実施例に限定されるものではなく、例えば次のような実施例も本発明の技術的範囲に含まれる。
（１）上記実施例１，２では、保持部材３０における上段の端子収容室３４の数が３つ以外であってもよく、下段の端子収容室３４の数が３つ以外であってもよい。
（２）上記実施例１，２では、保持部材３０の規制突出部３７Ａが、端子金具５０における前端部（切欠部６６の左右両側の縁部）や後端部（圧着部７０）以外の部分（後端部など）に係止するように形成されてもよい。
（３）上記実施例１，２では、フロント部材４０のスリットは、閉塞部４１と側板部４２の境界部分（フロント部材４０の４つの角部）に限らず、閉塞部４１に形成されてもよく、側板部４２に形成されてもよい。
【符号の説明】
【００５０】
２０…誘電体
２１…挿入孔
３０…保持部材
３２…前壁部
３３…側壁部
３３Ａ…リブ
３４…端子収容室
３５…開口部
３６，３６Ａ…切欠部
３７，３７Ａ…規制突出部
４０…フロント部材
４１…閉塞部
４２…側板部
４２Ａ…弾性係止片
４４…スリット
４７…凹部
５０…端子金具
９０…電線
９５…タブ
１００…コネクタ
【図１】
2019016575.tif 000003
【図２】
2019016575.tif 000004
【図３】
2019016575.tif 000005
【図４】
2019016575.tif 000006
【図５】
2019016575.tif 000007
【図６】
2019016575.tif 000008
【図７】
2019016575.tif 000009
【図８】
2019016575.tif 000010
【図９】
2019016575.tif 000011
【図１０】
2019016575.tif 000012
【図１１】
2019016575.tif 000013
【図１２】
2019016575.tif 000014
【図１３】
2019016575.tif 000015
【図１４】
2019016575.tif 000016
【図１５】
2019016575.tif 000017
【図１６】
2019016575.tif 000018
【図１７】
2019016575.tif 000019
【図１８】
2019016575.tif 000020
【図１９】
2019016575.tif 000021
【図２０】
2019016575.tif 000022